(57)【要約】      （修正有）【課題】天板に相当する上板を昇降自在の一本の支杆で支持でき、下方に配設されるトレーに対して操作者が前方からは勿論のこと、左右方向から自由に手を挿し入れることができるようにして使用心地の良いコンパクトな医療用ワゴンを提供する。【解決手段】キャスター２を備えた底脚体ａに固着起立させた基部支柱ｂ１及び、基部支柱ｂ１に昇降手段を有する昇降支柱ｂ２とで構成される一本の支柱ｂと、昇降支柱ｂ２の頂部に固着した天板に相当する上板ｃと、基部支柱ｂ１の後面にトレー枠を有する一以上のトレー支持体を係止部で着脱自在に係脱できる多段の横支杆６を並設した横棧枠５と、トレー枠に着脱自在のトレーとより成る。【選択図】図１
0003205451.tif 000002
【実用新案登録請求の範囲】
【請求項１】
前後にキャスターを設けた左右一対の脚支杆の後部に、間隔杆を備えた底脚体と、
前記底脚体の間隔杆の中央に基端を固着起立させた基部支柱及び、前記基部支柱に昇降手段を有する昇降支柱とで構成される一本の支柱と、
前記昇降支柱の頂部に固着した天板に相当する上板と、
前記基部支柱の後面にトレー枠を有する一以上のトレー支持体を係止部で着脱自在に係脱できる多段の横支杆を並設した横棧枠と、
前記トレー枠に着脱自在のトレーと、
より成ることを特徴とする医療用ワゴン。
【請求項２】
前記トレー支持体は、トレーを着脱できるロ字状枠と、相対向する二辺を伸長して得られる夫々の伸長杆の端部に縦板を固着し、前記縦板上下に下向きの開口係入部を設けて横棧枠の上下の横支杆と係脱自在の係止部として成ることを特徴とする請求項１記載の医療用ワゴン。
【請求項３】
前記トレー支持体の縦板に固着される上下の下向きの開口係入部のいずれかの一方の開口係入部に抜脱防止用螺杆を着脱自在に設けて成ることを特徴とする請求項２記載の医療用ワゴン。
【請求項４】
昇降手段は、ガススプリングであって、上板の高さを調節自在に変更できる請求項１記載の医療用ワゴン。
【考案の詳細な説明】
【技術分野】
【０００１】
本考案は、使用心地の良い、しかも軽快な医療用ワゴンに関する。
【背景技術】
【０００２】
一般に使用されている医療用ワゴンには、患者が使用する点滴用薬剤等や、手術用のガーゼ、小物類を始め、パソコンの画像端末などを手軽に移動運搬でき、必要部品を載置するものとして広く用いられている。しかし乍ら、医療用ワゴンの構成としては、滑車を備えた下枠に対して、天板に相当する上板は、両側より起立させた少なくとも二本の支持杆を備えており、中間に二段以上のトレーが配設されていた（例えば、特許文献１参照）。
【０００３】
更に、一般的に知られているワゴンの中には、本体上部と本体下部との間に昇降手段が設けられて、ガススプリングを用いたものが知られている（例えば、特許文献２参照）。
【先行技術文献】
【特許文献】
【０００４】
【特許文献１】特開２０１０−１０５５４０号公報
【特許文献２】実開昭６１−６０７３６号公報
【考案の概要】
【考案が解決しようとする課題】
【０００５】
この種のワゴンの内、特許文献１は、左右に支柱を設けたもので、上板の下方に配設されるトレーに対しては、医師，看護師，介護士が作業する際、前方から手を差し入れて行わなければならず、左右側より簡単にかつ、容易に手を差し入れて作業することができないという問題があった。
【０００６】
また、上板を支持する支柱が左右二本以上必要であるので、構造を簡単にできないという問題があった。
【０００７】
そして、特許文献２に示すものは一本の支杆を用いて、昇降手段としてガススプリングが用いられているが、本体上部と本体下部とを支持する中心位置に配置される場所に使用されており、上部と下部との間の空間を活用できず、ワゴンとして重要な役割を奏するトレーを配設する空間が確保できないという不都合があった。
【０００８】
本考案は叙上の点に着目して成されたもので、上板を支持する柱は実質的に一本の支柱とし、かつ中心より離れた後部近くに天板に相当する上板を上下に調節できる昇降支柱は、昇降手段を設けて配置すると共に、この昇降支柱を支持する基部支柱に対してトレー支持用の横棧枠を配設し、上板以下のトレーに対して医師や看護師，介護士などの作業者が前方は勿論のこと、左右方向から手を差し入れて効率よく作業できるようにした医療用ワゴンを提供することを目的とする。
【０００９】
更に、昇降自在の一本の支柱の内、基部支柱に対して多段に設けた横支杆を備えた横棧枠を後面に固着し、之等の横支杆に掛架されるトレー支持体を着脱して、簡単にトレーを装着して使用できるようにした、使用勝手の良い医療用ワゴンを提供することを目的とする。
【課題を解決するための手段】
【００１０】
この考案は下記の構成を備えることにより上記課題を解決できるものである。
【００１１】
（１）前後にキャスターを設けた左右一対の脚支杆の後部に、間隔杆を備えた底脚体と、
前記底脚体の間隔杆の中央に基端を固着起立させた基部支柱及び、前記基部支柱に昇降手段を有する昇降支柱とで構成される一本の支柱と、
前記昇降支柱の頂部に固着した天板に相当する上板と、
前記基部支柱の後面にトレー枠を有する一以上のトレー支持体を係止部で着脱自在に係脱できる多段の横支杆を並設した横棧枠と、
前記トレー枠に着脱自在のトレーと、
より成ることを特徴とする医療用ワゴン。
【００１２】
（２）前記トレー支持体は、トレーを着脱できるロ字状枠と、相対向する二辺を伸長して得られる夫々の伸長杆の端部に縦板を固着し、前記縦板上下に下向きの開口係入部を設けて横棧枠の上下の横支杆と係脱自在の係止部として成ることを特徴とする前記（１）記載の医療用ワゴン。
【００１３】
（３）前記トレー支持体の縦板に固着される上下の下向きの開口係入部のいずれかの一方の開口係入部に抜脱防止用螺杆を着脱自在に設けて成ることを特徴とする前記（２）記載の医療用ワゴン。
【００１４】
（４）昇降手段は、ガススプリングであって、上板の高さを調節自在に変更できる前記（１）記載の医療用ワゴン。
【考案の効果】
【００１５】
本考案によれば、実質一本の昇降自在の支柱の内、昇降支柱で上板を基部支柱で横棧枠を介して複数のトレーを支持するトレー支持体を支持しており、かつ基部支柱の後面には多段の横支杆を設けてトレー支持体の基部の係止部により簡単に着脱できると共に、トレー支持体の取付容積を広く形成でき、しかも部品の少ない構成とすると共に、上板と下枠との間に配設される多段のトレーに対して、前面からのみでなく左右側より、医師を始め看護師などの作業者の、手術に必要な各種道具の出し入れが効率よく迅速軽快に行えて、至極便利であるなどの効果を有する。
【図面の簡単な説明】
【００１６】
【図１】本考案に係る医療用ワゴンの一実施例を示す正面図
【図２】図１の左側面図
【図３】全体の分解斜面図
【図４】基部支柱と昇降支柱との連結状態を示す拡大縦断面図
【図５】上板と落下防止柵と、取手の分解斜視図
【図６】トレーとトレー支持板と基部支柱に固着した横棧枠との構成を明確にするための拡大斜視図
【図７】（ａ），（ｂ）  トレー支持板と横棧枠の横支杆との係合状態を示す部分分解斜視図
【考案を実施するための形態】
【００１７】
以下本考案実施するための最良の形態を、実施例により詳しく説明する。
【実施例】
【００１８】
以下に、本考案の一実施例を説明する。
【００１９】
１は、左右一対の脚支杆、２は該脚支杆１の下部前後に固着した可動自在のキャスター、３は両脚支杆１の後部の中間に固着した間隔杆で、この間隔杆３と前記脚支杆１とで底脚体ａを構成している。ｂは支柱であって、底脚体ａの間隔杆３の中央に基端を固着起立させた基部支柱ｂ１を備え、管状に形成され、開口部よりガススプリングＳを介して昇降自在の昇降支柱ｂ２を挿通させて任意の高さｈを確保し、昇降支柱ｂ２の先端に固着させた当板４を介して天板に相当する上板ｃを固着させて、作業者の身長に適した状態を確保することができるようにしてある。
【００２０】
すなわち、前記ガススプリングＳは、基部を基部支柱ｂ１の下端に固着し、先端は上板ｃの下面に臨まれるレバーＳ１を回動操作し、押圧開放させてガススプリングＳの張力を調節して上板ｃを好みの高さｈとして、簡単かつ確実に操作者によって行うことができる。
【００２１】
５は、前記基部支柱ｂ１の後面に固着させた横棧枠で、多段に並設した横支杆６を備えて平板状に形成される。７は、前記横棧枠５の横支杆６と着脱できる係止部Ｘを備えるトレー支持体であって、ロ字状枠８に係止部Ｘが設けられるもので、以下の構成を備える。
【００２２】
即ち、このロ字状枠８を構成する二本の相対向した二辺を伸長して形成される伸長杆部９，９の端部に縦板１０，１０を固着し、夫々の縦板１０，１０の上下に下向きに開口した開口係入部１１，１１を設けるもので、前記横棧枠５の上下隣り合う横支杆６，６にこの開口係入部１１，１１を係入させてトレー支持体７を簡単に取り付けることを可能にしている。１２は少なくとも上下いずれか一方の開口側に螺合できる抜脱防止用螺杆である（図６及び図７（ａ）（ｂ）拡大明示）。
【００２３】
上記構成のトレー支持体７は、図示では２枚並設してあるが、３枚、４枚など自由である。
【００２４】
１３は、プラスチック製のトレーで、トレー支持体７のロ字状枠８に着脱係合できる。１４は、上板ｃの背面に固着させた落下防止柵で、ペン皿等の文房具を載置して使用の便に供する。１５は、上板ｃの正面に形成した取手で、ワゴンの移動の便に供することができる。１６は、止ビスである。
【００２５】
なお、図示しないが前記横棧枠５の背面側より多段の横支杆６に簡単に係脱できる引掛片を備える補助枠や、リング状の排気袋止用の止枠とか、医療用グローブなどの小物収納枠として使用できる。
【００２６】
叙上の構成にあって、ワゴンの操作者は、取手１５を把持して好みの方向に下部のキャスター２により自在に移動させることができる。
【００２７】
予め、天板に相当する上板ｃ上には、手術などに必要なデータや、患者の身体上の必要箇所のデータなど、医師や看護師に必要なデータを看取できるパソコンなどを配置し、下段のトレー支持体７上のトレー１３内に必要な薬剤や脱脂綿を始め、ピンセット，鋏，カッターなどの小物類を収納させて置くと共に、補助枠内に必要な小物類を収納させて施術に適応させることができる。
【００２８】
なお、天板に相当する上板ｃの床からの高さｈを、ガススプリングＳの働きで、支柱ｂの昇降支柱ｂ２を上下させて、作業者の最適の高さに事前に調節しておくことができる。
【００２９】
上板ｃには、資料，パソコン，ノートなどを載置させて置くことができると共に、落下防止柵１４には筆記用各種小物をペン皿など入れて置いて、医師等作業者の便に供することできる。
【００３０】
又、トレー１３は、基部支柱ｂ１に固着させた横棧枠５に配設させてあるので、トレー１３に収納できる薬剤，薬品等は医師を始め、他の協力者が前方向は勿論のこと、左右方向から簡単に取り出せるので、作業性を向上できる。
【００３１】
そして、上板ｃと底脚体ａとの空間を広くでき、トレー支持体７の収容を数多くできるので、トレー１３の使用も数多くできる。
【符号の説明】
【００３２】
１    脚支杆
２    キャスター
３    間隔杆
４    当板
５    横棧枠
６    横支杆
７    トレー支持体
８    ロ字状枠
９    伸長杆部
１０  縦板
１１  開口係入部
１２  抜脱防止用螺杆
１３  トレー
１４  落下防止柵
１５  取手
１６  止ビス
Ｓ    ガススプリング
Ｓ１  レバー
ａ    底脚体
ｂ    支柱
ｂ１  基部支柱
ｂ２  昇降支柱
ｃ    上板
Ｘ    係止部
ｈ    高さ
【図１】
0003205451.tif 000003
【図２】
0003205451.tif 000004
【図３】
0003205451.tif 000005
【図４】
0003205451.tif 000006
【図５】
0003205451.tif 000007
【図６】
0003205451.tif 000008
【図７】
0003205451.tif 000009